(57)【要約】【課題】ユーザーの意図に沿ってオートリセット機能を実行することが可能な画像形成装置およびオートリセット制御方法を提供する。【解決手段】画像形成装置は、第１の画面が表示され、ユーザーによる操作がない状態が第１の所定時間経過した場合、第１の画面から第２の画面に遷移させるとともに、第１の画面で設定された設定値をデフォルト値にリセットするオートリセット機能を実行するオートリセット部と、第１の画面の種類に応じて、オートリセット機能を実行するか否かを変更するようにオートリセット部を制御する制御部とを備える。【選択図】図３
2020197984.tif 000002
【特許請求の範囲】
【請求項１】
第１の画面が表示され、ユーザーによる操作がない状態が第１の所定時間経過した場合、前記第１の画面から第２の画面に遷移させるとともに、前記第１の画面で設定された設定値をデフォルト値にリセットするオートリセット機能を実行するオートリセット部と、
前記第１の画面の種類に応じて、前記オートリセット機能を実行するか否かを変更するように前記オートリセット部を制御する制御部と、
を備える画像形成装置。
【請求項２】
前記制御部は、前記第１の画面が、前記ユーザーが前記画像形成装置に対する設定を行う設定画面である場合、前記オートリセット機能を実行させる一方、前記第１の画面が、前記画像形成装置に関する状態を表示する状態表示画面である場合、前記オートリセット機能を実行させない、
請求項１に記載の画像形成装置。
【請求項３】
前記制御部は、前記第１の画面が前記状態表示画面である場合、前記状態表示画面が表示されている状態が前記第１の所定時間より長い第２の所定時間経過したとき、前記状態表示画面から前記第２の画面に遷移させる、
請求項２に記載の画像形成装置。
【請求項４】
前記画像形成装置の付近に前記ユーザーが存在するか否かについて判定する存在判定部を備え、
前記制御部は、前記画像形成装置の付近に前記ユーザーが存在しないと判定された場合、前記第２の所定時間が経過したとき、前記状態表示画面から前記第２の画面に遷移させる一方、前記画像形成装置の付近に前記ユーザーが存在すると判定された場合、前記第２の所定時間が経過したとき、前記状態表示画面から前記第２の画面に遷移させない、
請求項３に記載の画像形成装置。
【請求項５】
前記状態表示画面は、前記ユーザーに実行指示された印刷ジョブの実行状態を表示する画面である、
請求項４に記載の画像形成装置。
【請求項６】
前記制御部は、前記設定画面において設定値が設定され前記状態表示画面に遷移した後に前記設定画面に遷移する場合、前記設定画面に遷移する前に、前記設定画面において設定された設定値をデフォルト値にリセットする、
請求項２〜５の何れか１項に記載の画像形成装置。
【請求項７】
第１の画面が表示され、ユーザーによる操作がない状態が第１の所定時間経過した場合、前記第１の画面から第２の画面に遷移させるとともに、前記第１の画面で設定された設定値をデフォルト値にリセットするオートリセット機能を実行し、
前記第１の画面の種類に応じて、前記オートリセット機能を実行するか否かを変更するよう制御を行う、
オートリセット制御方法。
【発明の詳細な説明】
【技術分野】
【０００１】
本発明は、画像形成装置およびオートリセット制御方法に関する。
【背景技術】
【０００２】
一般に、電子写真プロセス技術を利用した画像形成装置（プリンター、複写機、ファクシミリ等）は、帯電した感光体に対して、画像データに基づくレーザー光を照射（露光）することにより静電潜像を形成する。そして、静電潜像が形成された感光体へ現像装置よりトナーを供給することにより静電潜像を可視化してトナー像を形成する。さらに、このトナー像を転写ニップにおいて用紙に転写し、トナー像が転写された用紙を定着ニップにおいて加熱、加圧して定着させることにより用紙にトナー像を形成する。
【０００３】
画像形成装置では、ユーザーは、複写やファックス等の設定画面上において、用紙のサイズや向き、部数、倍率、濃度などの各種項目値を装置のデフォルト値（標準設定値）として設定することができる。そして、ユーザーがデフォルト値と異なる設定値で例えば複写を行う場合には、ユーザーは、所望の設定値に変更してから複写を行うことになる。
【０００４】
画像形成装置には、操作画面が表示され、ユーザーによる操作がない状態が所定時間経過した場合、操作画面からデフォルト画面に遷移させるとともに、操作画面で設定された設定値をデフォルト値にリセットするオートリセット機能が搭載されている。このオートリセット機能の実行により、設定値がデフォルト値から変更されたまま、他のユーザーが意図しない複写を行うことを回避することができる。
【０００５】
オートリセット機能に関連する技術として、オートリセット機能を無効にした状態で起動したい場合には、オートリセット機能が無効である無効モードで起動することが可能な画像形成装置が提案されている（例えば、特許文献１を参照）。
【先行技術文献】
【特許文献】
【０００６】
【特許文献１】特開２００８−１３９４０２号公報
【発明の概要】
【発明が解決しようとする課題】
【０００７】
ところで、パーソナルコンピューターよりプリントジョブを画像形成装置に送信し、ユーザー自身が送信した印刷ジョブがいつ出力されるかを画像形成装置の操作画面にて確認するために、ジョブステータス画面を開く場合がある。
【０００８】
この場合、ユーザーは、印刷ジョブのステータスを確認している際に、そのステータスを見ているだけで操作はしないため、ユーザーの意図に反してオートリセット機能が実行されてしまい、デフォルト画面に戻ってしまうという問題があった。このとき、ユーザーは、印刷ジョブのステータスを確認するためには、ジョブステータス画面に再び入り直す必要があり、使い勝手が悪い。
【０００９】
ここで、複写やファックス等の設定画面は、ユーザーに操作させる画面であるため、通常、ユーザーが使用している間は操作によりオートリセット機能によるリセットが働くことはない。その一方、ステータス確認画面は、そもそもユーザーにステータスを確認させる画面であるため、ユーザーによる操作が長時間行われないことも多い。
【００１０】
なお、上記特許文献１に記載の技術を利用し、オートリセット機能が無効である無効モードで画像形成装置を起動することによって上記問題を解決することが考えられる。しかしながら、この場合、設定画面が表示され、ユーザーによる操作がない状態が所定時間経過した場合でも、オートリセット機能が実行されないため、設定値がデフォルト値から変更されたまま、他のユーザーが意図しない複写等を行ってしまう可能性があるという別の問題が発生する。
【００１１】
本発明は、ユーザーの意図に沿ってオートリセット機能を実行することが可能な画像形成装置およびオートリセット制御方法を提供することを目的とする。
【課題を解決するための手段】
【００１２】
本発明に係る画像形成装置は、
第１の画面が表示され、ユーザーによる操作がない状態が第１の所定時間経過した場合、前記第１の画面から第２の画面に遷移させるとともに、前記第１の画面で設定された設定値をデフォルト値にリセットするオートリセット機能を実行するオートリセット部と、
前記第１の画面の種類に応じて、前記オートリセット機能を実行するか否かを変更するように前記オートリセット部を制御する制御部と、
を備える。
【００１３】
本発明に係るオートリセット制御方法は、
第１の画面が表示され、ユーザーによる操作がない状態が第１の所定時間経過した場合、前記第１の画面から第２の画面に遷移させるとともに、前記第１の画面で設定された設定値をデフォルト値にリセットするオートリセット機能を実行し、
前記第１の画面の種類に応じて、前記オートリセット機能を実行するか否かを変更するよう制御を行う。
【発明の効果】
【００１４】
本発明によれば、ユーザーの意図に沿ってオートリセット機能を実行することができる。
【図面の簡単な説明】
【００１５】
【図１】本実施の形態における画像形成装置の全体構成を概略的に示す図である。
【図２】本実施の形態における画像形成装置の制御系の主要部を示す図である。
【図３】本実施の形態における画像形成装置の動作例を示すフローチャートである。
【発明を実施するための形態】
【００１６】
以下、本発明の実施の形態について、図面を用いて詳細に説明する。
【００１７】
図１は、本実施の形態における画像形成装置１の全体構成を概略的に示す図である。図２は、本実施の形態における画像形成装置１の制御系の主要部を示す図である。
【００１８】
図１、２に示すように、画像形成装置１は、電子写真プロセス技術を利用した中間転写方式のカラー画像形成装置である。すなわち、画像形成装置１は、感光体上に形成されたＣ（シアン）、Ｍ（マゼンタ）、Ｙ（イエロー）およびＫ（ブラック）の各色トナー像を中間転写体に一次転写し、中間転写体上で４色のトナー像を重ね合わせた後、用紙に二次転写することにより、画像を形成する。
【００１９】
また、画像形成装置１には、ＣＭＹＫの４色に対応する感光体を中間転写体の走行方向に直列配置し、中間転写体に一回の手順で各色トナー像を順次転写させるタンデム方式が採用されている。
【００２０】
図１、２に示すように、画像形成装置１は、画像読取部１０、操作表示部２０、画像処理部３０、画像形成部４０、用紙搬送部５０、定着部６０および制御部１００を備えている。制御部１００は、本発明の「オートリセット部」、「制御部」および「存在判定部」として機能する。
【００２１】
制御部１００は、ＣＰＵ（Central Processing Unit）１０１、ＲＯＭ（Read Only Memory）１０２およびＲＡＭ（Random Access Memory）１０３等を備えている。ＣＰＵ１０１は、ＲＯＭ１０２から処理内容に応じたプログラムを読み出してＲＡＭ１０３に展開し、展開したプログラムと協働して画像形成装置１の各ブロックの動作を集中制御する。このとき、記憶部７２に格納されているＬＵＴ（Look Up Table）等の各種データが参照される。記憶部７２は、例えば不揮発性の半導体メモリ（いわゆるフラッシュメモリ）又はハードディスクドライブで構成される。
【００２２】
制御部１００は、通信部７１を介して、ＬＡＮ（Local Area Network）又はＷＡＮ（Wide Area Network）等の通信ネットワークに接続された外部の装置（例えばパーソナルコンピューター）との間で各種データの送受信を行う。制御部１００は、例えば、外部の装置から送信された画像データを受信し、この画像データ（入力画像データ）に基づいて用紙に画像を形成する。通信部７１は、例えばＬＡＮカード等の通信制御カードで構成される。
【００２３】
画像読取部１０は、ＡＤＦ（Auto Document Feeder）と称される自動原稿給紙装置１１及び原稿画像走査装置（スキャナー）１２等を備えて構成される。
【００２４】
自動原稿給紙装置１１は、原稿トレイに載置された原稿Ｄを搬送機構により搬送して原稿画像走査装置１２へ送り出す。自動原稿給紙装置１１は、原稿トレイに載置された多数枚の原稿Ｄの画像（両面を含む）を連続して一挙に読み取ることができる。
【００２５】
原稿画像走査装置１２は、自動原稿給紙装置１１からコンタクトガラス上に搬送された原稿Ｄ又はコンタクトガラス上に載置された原稿Ｄを光学的に走査し、原稿Ｄからの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２６】
操作表示部２０は、例えばタッチパネル付の液晶ディスプレイ（ＬＣＤ：Liquid Crystal Display）で構成され、表示部２１及び操作部２２として機能する。表示部２１は、制御部１００から入力される表示制御信号に従って、各種操作画面及び各機能の動作状況等の表示を行う。操作部２２は、テンキー及びスタートキー等の各種操作キーを備え、ユーザーによる各種入力操作を受け付けて、操作信号を制御部１００に出力する。
【００２７】
画像処理部３０は、入力画像データに対して、初期設定又はユーザー設定に応じたデジタル画像処理を行う回路等を備えている。例えば、画像処理部３０は、制御部１００の制御下で、階調補正データ（階調補正テーブル）に基づいて階調補正を行う。また、画像処理部３０は、入力画像データに対して、階調補正の他、色補正及びシェーディング補正等の各種補正処理、並びに圧縮処理等を施す。これらの処理が施された画像データに基づいて、画像形成部４０が制御される。
【００２８】
画像形成部４０は、入力画像データに基づいて、Ｙ成分、Ｍ成分、Ｃ成分及びＫ成分の各有色トナーによる画像を形成するための画像形成ユニット４１Ｙ、４１Ｍ、４１Ｃ、４１Ｋ、及び中間転写ユニット４２等を備えている。
【００２９】
Ｙ成分、Ｍ成分、Ｃ成分及びＫ成分用の画像形成ユニット４１Ｙ、４１Ｍ、４１Ｃ、４１Ｋは、同様の構成を有する。図示及び説明の便宜上、共通する構成要素は同一の符号で示し、それぞれを区別する場合には符号にＹ、Ｍ、Ｃ又はＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００３０】
画像形成ユニット４１は、露光装置４１１、現像装置４１２、感光体ドラム４１３、帯電装置４１４、及びドラムクリーニング装置４１５等を備えている。
【００３１】
感光体ドラム４１３は、例えばアルミニウム製の導電性円筒体（アルミ素管）の周面に、アンダーコート層（ＵＣＬ：Under Coat Layer）、電荷発生層（ＣＧＬ：Charge Generation Layer）及び電荷輸送層（ＣＴＬ：Charge Transport Layer）を順次積層することで構成された、光導電性を有する感光体である。感光体ドラム４１３は、例えば負帯電型の有機感光体（ＯＰＣ：Organic Photo-conductor）である。
【００３２】
帯電装置４１４は、光導電性を有する感光体ドラム４１３の表面を一様に負極性に帯電させる。帯電装置４１４は、ストロコロン帯電器である。
【００３３】
露光装置４１１は、例えば半導体レーザーで構成され、感光体ドラム４１３に対して各色成分の画像に対応するレーザー光を照射する。レーザー光の照射により感光体ドラム４１３の電荷発生層で正電荷が発生し、電荷輸送層の表面まで輸送されると、感光体ドラム４１３の表面電荷（負電荷）が中和される。その結果、感光体ドラム４１３の表面には、周囲との電位差により各色成分の静電潜像が形成される。
【００３４】
現像装置４１２は、各色成分の現像剤（例えば、小粒径のトナーとキャリアー（磁性体）とからなる二成分現像剤）を収容しており、感光体ドラム４１３の表面に各色成分のトナーを付着させることにより静電潜像を可視化してトナー像を形成する。現像装置４１２における現像ローラーは、回転駆動される円筒状の現像スリーブ４１２Ａと、現像スリーブ４１２Ａ内に内挿され、回転しないように現像装置４１２の筺体に固定された円柱状のマグネットローラーとからなる。
【００３５】
マグネットローラーは、その周方向に沿って複数の磁石が配されてなり、その磁力によってキャリアーが現像スリーブ４１２Ａの外周面上に担持されて搬送され、感光体ドラム４１３と対向する位置（現像位置）で起立して磁気ブラシが形成される。キャリアーに静電吸着されて搬送されてきたトナーが、当該現像位置において、現像スリーブ４１２Ａと感光体ドラム４１３との電位差により感光体ドラム４１３側に移動し、その周面に形成された静電潜像が現像される。
【００３６】
ドラムクリーニング装置４１５は、感光体ドラム４１３の表面に摺接されるドラムクリーニングブレードを有する。一次転写後に感光体ドラム４１３の表面に残存する転写残トナーは、ドラムクリーニングブレードによって掻き取られ、除去される。
【００３７】
中間転写ユニット４２は、中間転写ベルト４２１、一次転写ローラー４２２、複数の支持ローラー４２３、二次転写ローラー４２４、及びベルトクリーニング装置４２６等を備える。
【００３８】
中間転写ベルト４２１は無端状ベルトで構成され、複数の支持ローラー４２３にループ状に張架される。複数の支持ローラー４２３のうちの少なくとも１つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３９】
中間転写ベルト４２１は、導電性および弾性を有するベルトであり、表面に高抵抗層を有する。中間転写ベルト４２１は、制御部１００からの制御信号によって回転駆動される。
【００４０】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００４１】
二次転写ローラー４２４は、駆動ローラー４２３Ａのベルト走行方向下流側に配置されるバックアップローラー４２３Ｂに対向して、中間転写ベルト４２１の外周面側に配置される。中間転写ベルト４２１を挟んで、二次転写ローラー４２４がバックアップローラー４２３Ｂに圧接されることにより、中間転写ベルト４２１から用紙Ｓへトナー像を転写するための二次転写ニップが形成される。
【００４２】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側、つまり一次転写ローラー４２２と当接する側にトナーと逆極性の電荷を付与することにより、トナー像は中間転写ベルト４２１に静電的に転写される。
【００４３】
その後、用紙Ｓが二次転写ニップを通過する際、中間転写ベルト４２１上のトナー像が用紙Ｓに二次転写される。具体的には、二次転写ローラー４２４に二次転写バイアスを印加し、用紙Ｓの裏面側、つまり二次転写ローラー４２４と当接する側にトナーと逆極性の電荷を付与することにより、トナー像は用紙Ｓに静電的に転写される。トナー像が転写された用紙Ｓは定着部６０に向けて搬送される。
【００４４】
ベルトクリーニング装置４２６は、二次転写後に中間転写ベルト４２１の表面に残留する転写残トナーを除去する。
【００４５】
定着部６０は、用紙Ｓの定着面、すなわちトナー像が形成されている面側に配置される定着面側部材を有する上側定着部６０Ａ、用紙Ｓの裏面すなわち定着面の反対の面側に配置される裏面側支持部材を有する下側定着部６０Ｂ、および加熱源等を備える。定着面側部材に裏面側支持部材が圧接されることにより、用紙Ｓを挟持して搬送する定着ニップが形成される。
【００４６】
定着部６０は、トナー像が二次転写され、搬送されてきた用紙Ｓを定着ニップで加熱、加圧することにより、用紙Ｓにトナー像を定着させる。定着部６０は、定着器Ｆ内にユニットとして配置される。
【００４７】
上側定着部６０Ａは、定着面側部材である無端状の定着ベルト６１、加熱ローラー６２および定着ローラー６３を有する。定着ベルト６１は、加熱ローラー６２と定着ローラー６３とによって張架されている。
【００４８】
下側定着部６０Ｂは、裏面側支持部材である加圧ローラー６４を有する。加圧ローラー６４は、定着ベルト６１との間で用紙Ｓを挟持して搬送する定着ニップを形成している。
【００４９】
用紙搬送部５０は、給紙部５１、排紙部５２、及び搬送経路部５３等を備える。給紙部５１を構成する３つの給紙トレイユニット５１ａ〜５１ｃには、坪量やサイズ等に基づいて識別された用紙Ｓ（規格用紙、特殊用紙）が予め設定された種類毎に収容される。
【００５０】
給紙トレイユニット５１ａ〜５１ｃに収容されている用紙Ｓは、最上部から一枚ずつ送出され、レジストローラー５３ａ等の複数の搬送ローラーを備えた搬送機構により画像形成部４０に搬送される。このとき、レジストローラー５３ａが配設されたレジスト部により、給紙された用紙Ｓの傾きが補正されると共に搬送タイミングが調整される。そして、画像形成部４０において、中間転写ベルト４２１のトナー像が用紙Ｓの一方の面に転写され、定着部６０において定着工程が施される。定着工程によりトナー像が定着された用紙Ｓは、排紙ローラー５２ａを備えた排紙部５２により画像形成装置１の外部に排紙される。
【００５１】
ところで、画像形成装置１では、ユーザーは、複写やファックス等の設定画面上において、用紙Ｓのサイズや向き、部数、倍率、濃度などの各種項目値を装置のデフォルト値（標準設定値）として設定することができる。そして、ユーザーがデフォルト値と異なる設定値で例えば複写（コピー）を行う場合には、ユーザーは、所望の設定値に変更してから複写を行うことになる。
【００５２】
画像形成装置１には、操作画面が表示され、ユーザーによる操作がない状態が所定時間経過した場合、操作画面からデフォルト画面に遷移させるとともに、操作画面で設定された設定値をデフォルト値にリセットするオートリセット機能が搭載されている。このオートリセット機能の実行により、設定値がデフォルト値から変更されたまま、他のユーザーが意図しない複写を行うことを回避することができる。
【００５３】
ここで、パーソナルコンピューターより印刷ジョブを画像形成装置１に送信し、ユーザー自身が送信した印刷ジョブがいつ出力されるかを画像形成装置１の操作画面にて確認するために、ジョブステータス画面を開く場合がある。
【００５４】
この場合、ユーザーは、印刷ジョブのステータスを確認している際に、そのステータスを見ているだけで操作はしないため、ユーザーの意図に反してオートリセット機能が実行されてしまい、デフォルト画面に戻ってしまうという問題があった。このとき、ユーザーは、印刷ジョブのステータスを確認するためには、ジョブステータス画面に再び入り直す必要があり、使い勝手が悪い。
【００５５】
複写やファックス等の設定画面は、ユーザーに操作させる画面であるため、通常、ユーザーが使用している間は操作によりオートリセット機能によるリセットが働くことはない。その一方、ステータス確認画面は、そもそもユーザーにステータスを確認させる画面であるため、ユーザーによる操作が長時間行われないことも多い。
【００５６】
そこで本実施の形態では、制御部１００は、第１の画面が表示され、ユーザーによる操作がない状態が第１の所定時間経過した場合、第１の画面から第２の画面（例えば、デフォルト画面）に遷移させるとともに、第１の画面で設定された設定値をデフォルト値にリセットするオートリセット機能を実行するか否かを、第１の画面の種類に応じて変更する制御を行う。
【００５７】
具体的には、制御部１００は、第１の画面が、ユーザーが画像形成装置１に対する設定を行う設定画面（例えば、印刷設定画面）である場合、オートリセット機能を実行させる。その一方、制御部１００は、第１の画面が、画像形成装置１に関する状態を表示する状態表示画面である場合、オートリセット機能を実行させない。
【００５８】
状態表示画面としては、ユーザーに実行指示された印刷ジョブの実行状態を表示するジョブステータス画面、コピー／プリント／スキャン等の実行カウント数を表示するカウンタ画面、消耗品の状態を表示する消耗品確認画面、画像形成装置１のＩＰアドレス、シリアルナンバー等を表示する装置情報表示画面、例えば警告情報としてトナーカートリッジの交換時期を示すメッセージ等を表示するインフォメーション画面などが挙げられる。
【００５９】
図３は、本実施の形態における画像形成装置１の動作例を示すフローチャートである。なお、図３に示す処理は、表示部２１に操作画面が表示されている場合、所定時間（例えば、１秒）が経過する毎に実行される。
【００６０】
まず、制御部１００は、表示部２１に表示されている操作画面（第１の画面）が設定画面であるか否かについて判定する（ステップＳ１００）。判定の結果、操作画面が設定画面である場合（ステップＳ１００、ＹＥＳ）、制御部１００は、設定画面が表示され、ユーザーによる操作がない状態が第１の所定時間経過したか否かについて判定する（ステップＳ１２０）。
【００６１】
判定の結果、第１の所定時間が経過していない場合（ステップＳ１２０、ＮＯ）、画像形成装置１は、図３における処理を終了する。一方、第１の所定時間が経過している場合（ステップＳ１２０、ＹＥＳ）、設定画面からデフォルト画面（第２の画面）に遷移させるとともに、設定画面で設定された設定値をデフォルト値にリセットするオートリセット機能を実行させる（ステップＳ１４０）。ステップＳ１４０の処理が完了することによって、画像形成装置１は、図３における処理を終了する。
【００６２】
ステップＳ１００の処理に戻って、操作画面が設定画面でない場合、すなわち、状態表示画面（例えば、ユーザーに実行指示された印刷ジョブの実行状態を表示するジョブステータス画面）である場合（ステップＳ１００、ＮＯ）、制御部１００は、状態表示画面が表示されている状態が第１の所定時間より長い第２の所定時間経過したか否かについて判定する（ステップＳ１６０）。第２の所定時間は、例えばユーザーが印刷ジョブの実行状態を十分確認することが可能な時間に設定される。
【００６３】
判定の結果、第２の所定時間が経過していない場合（ステップＳ１６０、ＮＯ）、画像形成装置１は、図３における処理を終了する。一方、第２の所定時間が経過している場合（ステップＳ１６０、ＹＥＳ）、制御部１００は、画像形成装置１の付近にユーザー（例えば、印刷ジョブの実行を指示したユーザー）が存在するか否かについて判定する（ステップＳ１８０）。
【００６４】
本実施の形態では、制御部１００は、ユーザーが利用する携帯端末（例えば、スマートフォン）と画像形成装置１とが所定距離の範囲内に位置し、携帯端末と画像形成装置１との間で例えばＢｌｕｅｔｏｏｔｈ（登録商標）ＬＥ等の近距離通信が確立されたか否か（すなわちユーザー認証が成功したか否か）を確認する。そして、制御部１００は、ユーザー認証が成功したことを確認した場合、画像形成装置１の付近にユーザーが存在すると判定する。一方、制御部１００は、ユーザー認証が成功したことを確認しなかった場合、画像形成装置１の付近にユーザーが存在しないと判定する。
【００６５】
ステップＳ１８０において、画像形成装置１の付近にユーザーが存在する場合（ＹＥＳ）、状態表示画面の表示は継続され、画像形成装置１は、図３における処理を終了する。一方、画像形成装置１の付近にユーザーが存在しない場合（ステップＳ１８０、ＮＯ）、制御部１００は、状態表示画面からデフォルト画面に遷移させる（ステップＳ２００）。ステップＳ２００の処理が完了することによって、画像形成装置１は、図３における処理を終了する。
【００６６】
以上詳しく説明したように、本実施の形態では、画像形成装置１は、第１の画面が表示され、ユーザーによる操作がない状態が第１の所定時間経過した場合、第１の画面から第２の画面（デフォルト画面）に遷移させるとともに、第１の画面で設定された設定値をデフォルト値にリセットするオートリセット機能を実行するオートリセット部（制御部１００）と、第１の画面の種類に応じて、オートリセット機能を実行するか否かを変更するようにオートリセット部を制御する制御部（制御部１００）とを備える。
【００６７】
このように構成した本実施の形態によれば、第１の画面の種類に応じて、オートリセット機能を実行するか否かが変更される。具体的には、第１の画面が、ユーザーが画像形成装置１に対する設定を行う設定画面である場合、オートリセット機能は実行される。その一方、第１の画面が、画像形成装置１に関する状態を表示する状態表示画面である場合、オートリセット機能は実行されない。そのため、ジョブステータス画面（状態表示画面）においてユーザーが印刷ジョブのステータスを確認している際に、そのステータスを見ているだけで操作を行わなくても、ユーザーの意図に反してオートリセット機能が実行されることはなくなる。すなわち、ユーザーは、印刷ジョブのステータスを確認するためにジョブステータス画面に再び入り直す必要がなくなる。したがって、画像形成装置１によれば、ユーザーの意図に沿ってオートリセット機能を実行することができる。
【００６８】
また、本実施の形態では、制御部１００は、第１の画面が状態表示画面である場合、状態表示画面が表示されている状態が第１の所定時間より長い第２の所定時間経過したとき、状態表示画面から第２の画面に遷移させる。この構成により、例えばユーザーが印刷ジョブの実行状態を十分確認することが可能な時間（第２の所定時間）が経過した後まで、状態表示画面が不必要に表示され続けることを防止することができる。
【００６９】
また、本実施の形態では、制御部１００は、画像形成装置１の付近にユーザーが存在しないと判定された場合、第２の所定時間が経過したとき、状態表示画面から第２の画面に遷移させる一方、画像形成装置１の付近にユーザーが存在すると判定された場合、第２の所定時間が経過したとき、状態表示画面から第２の画面に遷移させない。この構成により、ユーザーが印刷ジョブの実行状態を十分確認することが可能な時間（第２の所定時間）が経過した後でも、画像形成装置１の付近にユーザーが存在する場合（ユーザーが印刷ジョブの実行状態を引き続き確認したい意図があると推定される場合）、ユーザーの意図に沿って状態表示画面を第２の画面に遷移させずに表示させ続けることができる。
【００７０】
なお、上記実施の形態では、第２の所定時間が第１の所定時間より長い例について説明したが、本発明はこれに限らない。例えば、第２の所定時間は、第１の所定時間以下の時間であっても良い。
【００７１】
また、上記実施の形態において、制御部１００は、設定画面において設定値が設定され状態表示画面に遷移した後に当該設定画面に遷移する（戻る）場合、設定画面に遷移する前に、設定画面において設定された設定値をデフォルト値にリセットすることが望ましい。例えば、設定画面から状態表示画面に遷移する際、または、状態表示画面から設定画面に遷移する際に設定値をデフォルト値にリセットする。このような構成により、例えばユーザーがファックスの宛先（設定値）を設定した状態で印刷ジョブのステータスを確認し、その後、画像形成装置１の周辺から立ち去った場合に、他のユーザーが当該設定値のまま意図しないファックス送信（誤送信）を行うことを回避することができる。
【００７２】
また、上記実施の形態では、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００７３】
１  画像形成装置
１０  画像読取部
２０  操作表示部
２１  表示部
２２  操作部
３０  画像処理部
４０  画像形成部
５０  用紙搬送部
６０  定着部
７１  通信部
７２  記憶部
１００  制御部
１０１  ＣＰＵ
１０２  ＲＯＭ
１０３  ＲＡＭ
【図１】
2020197984.tif 000003
【図２】
2020197984.tif 000004
【図３】
2020197984.tif 000005